(57)【要約】【課題】  携帯電話が受信した音声信号をコンピュータシステムへ伝送して保存し、音声情報を聴く機能を形成することができ、使用者が別途電話料金を支払い電信業者側に保存されたボイスメールを聴く必要がなく、また、コンピュータシステムにより生成された音声情報を携帯電話へ伝送し、送信することができる、音声信号伝送装置の提供。【解決手段】  本考案の音声信号伝送装置は、エンコーダ／デコーダ及び音声信号コントローラを用い、携帯電話上で受信した音声信号をコンピュータシステムで実行可能なファイルに変換し、また、コンピュータシステム上の音声情報を携帯電話上で伝送可能な音声信号に変換する、音声信号伝送装置であって、エンコーダ／デコーダと、このエンコーダ／デコーダに連結された音声信号コントローラと、このエンコーダ／デコーダ及び音声信号コントローラとそれぞれ相互に接続された複数の音声伝送インターフェースとを含む。【選択図】  図１
0003110807.tif 000002
【実用新案登録請求の範囲】
【請求項１】
エンコーダ／デコーダと、該エンコーダ／デコーダに接続された音声信号コントローラと、該エンコーダ／デコーダ及び音声信号コントローラとそれぞれ相互に接続された複数の音声伝送インターフェースとを含む、音声信号伝送装置。
【請求項２】
前記エンコーダ／デコーダがアナログ信号とデジタル信号を相互に変換可能である、請求項１に記載の音声信号伝送装置。
【請求項３】
前記音声信号伝送装置が、着信の自動フィルタリングと自動転送が設定可能である、請求項１に記載の音声信号伝送装置。
【請求項４】
前記複数の音声伝送インターフェースが、該音声信号伝送装置と携帯電話及びコンピュータシステムを接続する、請求項１に記載の音声信号伝送装置。
【請求項５】
前記コンピュータシステムが、デスクトップ型コンピュータ、ノートブック型コンピュータ、個人用携帯情報端末（PDA）及びハンドヘルド型コンピュータ（Handheld PC）のうちのいずれかである、請求項１に記載の音声信号伝送装置。
【考案の詳細な説明】
【技術分野】
【０００１】
本考案は音声信号伝送装置に関し、詳細には、エンコーダ／デコーダ及び音声信号コントローラを用い、携帯電話上で受信した音声信号をコンピュータシステムで実行可能なファイルに変換し、また、コンピュータシステム上の音声情報を携帯電話上で伝送可能な音声信号に変換する、音声信号伝送装置に関する。
【背景技術】
【０００２】
携帯電話の普及と携帯通信サービス業がもたらす利便性に伴い、新しい世代の携帯電話の機能は基本的な電話音声の伝送のみに留まらず、映像の送受信等を結合した音声機能を備え、このため、携帯通信サービスを提供する電信業者もまた、互いの声を伝達するサービスだけでなく、さらにその他ショートメールや映像等の音声内容の伝送機能及び即時に接続できない場合における双方の使用者に対する保存サービスを提供している。
【０００３】
現在の市場において電信業者が主に提供している保存サービスは、ボイスメールとショートメールの保存サービスである。これらのサービス方法は、送信者の伝言またはショートメールを録音または記録して保存し、受信者がいつでも送信者の伝言を聞いたり、ショートメールを受け取って読んだりできるものである。しかしながら、これらのサービスは、受信者がまず特別な番号に電話をかけなければ伝言を聞くことができないため、別途電話料金を支払う必要がある。また、これらのサービスは、携帯電話を利用して応答したり、ショートメールを送信したりできるのみであり、大量の文字を含む内容のショートメールの発信は、ボタンを押す操作過程が非常に面倒である。
【０００４】
本考案は、従来のボイスメールサービスが、音声信号に対してのみ利用でき、また使用者が電話料金を支払って電話をかけるという条件下のみでその応用機能が実行可能であるという問題に鑑みて、この従来技術の欠点に対し改良を行うものである。
【考案の開示】
【考案が解決しようとする課題】
【０００５】
本考案の主な目的は、本考案を利用して携帯電話が受信した音声信号をコンピュータシステムへ伝送して保存し、音声情報を聴く機能を形成することができ、使用者が別途電話料金を支払い電信業者側に保存されたボイスメールを聴く必要がなく、また、コンピュータシステムにより生成された音声情報を携帯電話へ伝送し、送信することができる、音声信号伝送装置を提供することにある。
【０００６】
本考案のさらに別の目的は、使用者が着信を自動的にフィルタリングしたり、自動的に転送したりするよう設定することができ、そのうち、着信の自動フィルタリングは、使用者が予め電話番号を設定し、自動的に電話番号非表示の着信や受話したくない着信に応答し、不必要な干渉を断絶することができる機能であり、また自動転送機能は、使用者が予め電子メールまたは電話番号を設定し、情報を自動的に受信者の電子メールボックスまたは指定した電話番号へ伝送し、遠端の使用者が即時最新情報を読み取ることができる機能であり、これら電話秘書サービスと同じような設定ができる機能を備えた、音声信号伝送装置を提供することにある。
【課題を解決するための手段】
【０００７】
本考案の音声信号伝送装置は、エンコーダ／デコーダと、このエンコーダ／デコーダに接続された音声信号コントローラと、このエンコーダ／デコーダ及び音声信号コントローラとそれぞれ相互に接続された複数の音声伝送インターフェースとを含む。
【考案の効果】
【０００８】
本考案は、一般の使用者がコンピュータ側のファイルを開き、音声映像再生ソフト、ブラウザ等のアプリケーションソフトウェアを利用して、別途特別な電話番号に電話をかける手間や別途料金を支払う必要なく、情報を聴取または閲覧することができる。
【考案を実施するための最良の形態】
【０００９】
本考案の目的、特徴及び効果についてより理解を深めるため、以下、具体的な実施形態と図面に基づき、本考案について詳細に説明する。
【００１０】
図１に本考案の音声信号伝送装置の構成を示すダイアグラムを示す。この図１から分かるように、音声信号伝送装置１０は、エンコーダ／デコーダ１０２、音声信号コントローラ１０４、複数の音声伝送インターフェースを含む。そのうち、エンコーダ／デコーダ１０２は、アナログ信号とデジタル信号を相互に変換することができる。音声信号コントローラ１０４は、デコーディングを行った後の音声パケットをコンピュータシステム上で実行可能な音声ファイルに変換する。音声信号伝送装置１０は、イヤホンケーブル１０６、マイクロフォンケーブル１０８、ＲＳ２３２ケーブル１１０など複数の音声伝送インターフェースを利用し、携帯電話２０をエンコーダ／デコーダ１０２及び音声信号コントローラ１０４とそれぞれ相互に接続する。また、音声信号伝送装置１０はコンピュータシステム３０に接続され、この接続方法は接続ケーブル１１２または赤外線、ブルートゥース等を用いた有線または無線方式とする。このコンピュータシステム３０は、デスクトップ型コンピュータ、ノートブック型コンピュータ、個人用携帯情報端末（PDA）及びハンドヘルド型コンピュータ（Handheld PC）等のうちのいずれかとする。
【００１１】
図１に示すように、携帯電話２０が着信情報を受け取ると、この携帯電話２０が着信音を発するか、その他提示方法で受信者に受話を促す。予め設定した一定の時間内に受話されない場合、ＲＳ２３２ケーブル１１０を介して一定長さの提示信号を同時に音声信号コントローラ１０４に対して発し、この音声信号コントローラ１０４が携帯電話２０上の音声伝言パケットのダウンロードを要求する。このダウンロードされる信号はアナログパケットであり、エンコーダ／デコーダ１０２を経由してデジタルパケット信号に変換され、さらに音声信号コントローラ１０４を経由してコンピュータシステム３０で実行可能なファイルに変換され、接続ケーブル１１２を介してコンピュータシステム３０の情報記録メカニズム３０２に保存される。本実施形態では、現有のコンピュータシステム３０を利用してボイスメールの音声伝言を取得し、さらにボイスメールの送受信とボイスメールの使用機能を得るものである。
【００１２】
さらに、本考案は携帯電話２０が受信した映像音声信号を伝送することができ、即ち、携帯電話２０がワイヤレス伝送方式によりインターネットからダウンロードした音声信号を、イヤホンケーブル１０６とＲＳ２３２ケーブル１１０を介してエンコーダ／デコーダ１０２に伝送し、デジタルパケット信号に変換した後、音声信号コントローラ１０４を経由してコンピュータシステム３０上で実行可能なファイルに変換し、接続ケーブル１１２を介してコンピュータシステム３０の情報記録メカニズム３０２に伝送し保存することができる。
【００１３】
また、本考案は音声信号伝送装置１０を経由してコンピュータシステム３０内の音声情報を携帯電話２０に伝送し、送信を行うことができる。この技術は、現有のコンピュータシステム上のインターネットブラウザ３０４を利用してインターネット上の情報を取得し、さらに、この情報を文字または映像エンコーディングメカニズム３０６で音声ファイルに編集し、この音声ファイルを接続ケーブル１１２または赤外線、ブルートゥース等の方法で本考案へと伝送し、音声信号コントローラ１０４を経由してデジタルパケット信号に変換し、さらにエンコーダ／デコーダ１０２を経由してアナログパケット信号に変換した後、ＲＳ２３２ケーブル１１０、マイクロフォンケーブル１０８を介し携帯電話２０へ伝送し、携帯電話２０で受信者に伝送することができる。例えば、音声信号伝送装置１０上で実行可能な音声ファイルを携帯電話２０により電子メールを送信する方法で、受信者の電子メールボックスへ送信することができる。
【００１４】
上述に基づき、本考案の利点を以下のようにまとめることができる。本考案は、一般の使用者がコンピュータ３０側のファイルを開き、音声映像再生ソフト、ブラウザ等のアプリケーションソフトウェアを利用して、別途特別な電話番号に電話をかける手間や別途料金を支払う必要なく、情報を聴取または閲覧することができる。また、応用において本考案はさらに着信の自動フィルタリングや自動転送など、電話秘書と同じような機能を設定することもできる。このため、本考案は実用新案登録の新規性、進歩性及び産業的利用価値を備えており、ここに法に基づき実用新案登録を出願するものである。
【産業上の利用可能性】
【００１５】
本考案は音声信号伝送装置に関し、エンコーダ／デコーダ及び音声信号コントローラを用い、携帯電話上で受信した音声信号をコンピュータシステムで実行可能なファイルに変換し、コンピュータシステム上の音声情報を携帯電話上で伝送可能な音声信号に変換する音声信号伝送装置にも適用できる。
【図面の簡単な説明】
【００１６】
【図１】本考案の音声信号伝送装置の構成を示すダイアグラムである。
【符号の説明】
【００１７】
１０        音声信号伝送装置
１０２      エンコーダ／デコーダ
１０４      音声信号コントローラ
１０６      イヤホンケーブル
１０８      マイクロフォンケーブル
１１０      ＲＳ２３２ケーブル
１１２      接続ケーブル
２０        携帯電話
３０        コンピュータシステム
３０２      情報記録メカニズム
３０４      インターネットブラウザ
３０６      文字または映像エンコーディングメカニズム
【図１】
0003110807.tif 000003